(57)【要約】【課題】  調節アセンブリを備えるスライドレール機構を提供すること。【解決手段】  スライドレールのための調節機構は第１の調節装置、第２の調節装置及びハウジングを含む。第１の調節装置は第１のベースと、該第１のベースの高さを調節するように構成された第１の調節部材とを含む。第２の調節装置は第２のベースと、該第２のベースを調節して第２のレールに対して横方向に動かすように構成された第２の調節部材とを含む。第１の調節装置及び第２の調節装置はハウジングに取り付けられる。第２のベースはベース部及び突起部を含む。突起部はベースに固定され、スライドレールによって支持される保持物体内に挿入されるように構成されている。【選択図】  図６
2019042474.tif 000002
【特許請求の範囲】
【請求項１】
前部及び後部を含むスライドレールと、
前記スライドレールの前部及び後部の間に接続されるハウジングと、
前記ハウジングに取り付けられる第１の調節装置であって、該第１の調節装置は第１のベース及び第１の調節部材を含む、第１の調節装置と、
前記ハウジングに取り付けられる第２の調節装置であって、該第２の調節装置は第２のベース及び第２の調節部材を含む、第２の調節装置と、
を含むスライドレール機構であって、
前記第１のベースは第１の部位と、該第１の部位に接続される第２の部位とを含み、該第１の部位及び該第２の部位は前記スライドレールの長手方向に沿って延在し、
前記第１の部位は前記スライドレールに対して固定され、前記第１の調節部材は前記スライドレールに対する前記第２の部位の傾斜角を調節するように構成され、
前記第２の調節部材は前記第２のベースを調節して前記スライドレールに対して横方向に動かすように構成され、前記第２のベースはベース部及び突起部を含み、該突起部は該ベース部に固定され、該突起部は前記スライドレール上の保持物体の取り付け部内に挿入されるように構成されている、スライドレール機構。
【請求項２】
前記第１のベースは前記第２の部位に実質的に垂直に接続される延長壁をさらに含み、前記第１の調節部材は本体部及び偏心部を含み、該本体部及び該偏心部は同心円状ではなく、該偏心部は前記延長壁に取り付けられる、請求項１に記載のスライドレール機構。
【請求項３】
前記第２の調節部材が前記第２のベースを調節して横方向に動かすことできるように、前記第２のベースは第１の調節構造を有し、該第１の調節構造は前記第２の調節部材の第２の調節構造に対応し、該第１の調節構造及び該第２の調節構造は互いにネジ留めされるネジ構造である、請求項１に記載のスライドレール機構。
【請求項４】
第１のベースと、該第１のベースの高さを調節するために該第１のベースを動かすように構成された第１の調節部材とを含む第１の調節装置と、
第２のベースと、該第２のベースを調節して前記第１のベースに対して横方向に動かすように構成された第２の調節部材とを含む第２の調節装置と、
前記第１の調節装置及び前記第２の調節装置が取り付けられるハウジングと、
を含む調節アセンブリであって、
前記第２のベースはベース部及び突起部を含み、該突起部は該ベース部に固定され、該突起部は前記第１のベースの長手方向に沿って配置される、調節アセンブリ。
【請求項５】
前記突起部は第１の支持区画を有し、前記ベース部は該第１の支持区画と当接するように構成された第２の支持区画を有する、請求項４に記載の調節アセンブリ。
【請求項６】
前記ハウジングは第１のガイド部を有し、前記第２のベースは該第１のガイド部に取り付けられる第２のガイド部を有し、該第１のガイド部及び該第２のガイド部のうちの一方はリブであり、該第１のガイド部及び該第２のガイド部のうちの他方は細長い孔又は細長い溝である、請求項４に記載の調節アセンブリ。
【請求項７】
前記第１の調節部材は本体部及び偏心部を含み、該本体部及び該偏心部は同心円状ではなく、該偏心部は前記第１のベースに取り付けられ、前記第２の調節部材が前記第２のベースを調節して横方向に動かすことできるように、前記第２のベースは第１の調節構造を有し、該第１の調節構造は前記第２の調節部材の第２の調節構造に対応し、該第１の調節構造及び該第２の調節構造は互いにネジ留めされるネジ構造である、請求項４に記載の調節アセンブリ。
【請求項８】
家具部に適用可能なスライドレール機構であって、当該スライドレール機構は、
第１のレールと、
前記第１のレールに対して長手方向に動かすことができる第２のレールであって、該第２のレールは前記家具部を支持するように構成されるとともに前部及び後部を含む、第２のレールと、
前記第２のレールの後部に隣接する第１の調節装置であって、該第１の調節装置は第１のベース及び第１の調節部材を含む、第１の調節装置と、
を含み、
前記第１のベースは第１の部位と、該第１の部位に接続される第２の部位とを含み、
前記第１の部位は前記第２のレールに対して固定され、前記第２の部位は前記家具部の底部を支持するように構成され、
前記第１の調節部材は前記第２のレールに対する前記第２の部位の傾斜角を調節するように構成されている、スライドレール機構。
【請求項９】
前記第１のベースは前記第２の部位に実質的に垂直に接続される延長壁をさらに含み、前記第１の調節部材は本体部及び偏心部を含み、該本体部及び該偏心部は同心円状ではなく、該偏心部は前記延長壁に取り付けられる、請求項８に記載のスライドレール機構。
【請求項１０】
第２の調節装置と、前記第２のレールに接続されるハウジングとをさらに含み、
前記第２の調節装置は第２のベースと、ネジ構造を通じて該第２のベースを調節して前記第２のレールに対して横方向に動かすように構成された第２の調節部材とを含み、
前記第２のベースはベース部及び突起部を含み、該突起部は該ベース部に固定され、該突起部は前記家具部の取り付け孔内に挿入されるように構成され、前記第１の調節装置及び前記第２の調節装置は前記ハウジングに取り付けられる、請求項８に記載のスライドレール機構。
【発明の詳細な説明】
【技術分野】
【０００１】
本発明はスライドレール機構に関し、より具体的には調節アセンブリを備えるスライドレール機構に関する。
【背景技術】
【０００２】
一般に、スライドレールアセンブリは家具部を別の家具部に対して開閉するのを支援するように構成されている。スライドレール業界における関連技術の改善に伴い、現在の市場ではアンダーマウント型の引き出しスライドが開発されてきた。そのようなアンダーマウント型の引き出しスライドは、アンダーマウント型の引き出しスライドが引き出しをキャビネットから引き出す間に露出することなく引き出しの底部の下に隠れるように引き出しの底部に取り付けることができる。
【０００３】
関連する先行技術において、特許文献１には引き出しの高さを調節するための装置が開示されている。係る装置はベース（１０）、支持座部（１２）、調節部材（１４）、スクリューロッド（１６）及び接続部材（１８）を含む。ベース（１０）の第１の端部（２０）はガイドレール（５２）の後部に接続され、ベース（１０）の第２の端部（２２）は支持座部（１２）に接続されている。さらに、スクリューロッド（１６）に対して調節部材（１４）を回転させる操作を通じて、支持座部（１２）の高さを変えることができる。そのため、引き出しに接続された接続部材（１８）を通じて引き出しの角度を変えることができる。
【先行技術文献】
【特許文献】
【０００４】
【特許文献１】米国特許第８５８５１６５号明細書
【発明の概要】
【発明が解決しようとする課題】
【０００５】
しかしながら、様々な市場の要求のために、スライドレール上の保持物体のための様々な調節機構を備える様々な製品を開発することが重要である。
【０００６】
本発明はスライドレール機構に関し、より具体的には調節アセンブリを備えるスライドレール機構に関する。
【課題を解決するための手段】
【０００７】
本発明の一実施形態によれば、スライドレール機構はスライドレール、ハウジング、第１の調節装置及び第２の調節装置を含む。スライドレールは前部及び後部を含む。ハウジングはスライドレールの前部及び後部の間に接続される。第１の調節装置はハウジングに取り付けられる。第１の調節装置は第１のベース及び第１の調節部材を含む。第２の調節装置はハウジングに取り付けられる。第２の調節装置は第２のベース及び第２の調節部材を含む。第１のベースは第１の部位と、第１の部位に接続される第２の部位とを含み、第１の部位及び第２の部位はスライドレールの長手方向に沿って延在する。第１の部位はスライドレールに対して固定され、第１の調節部材はスライドレールに対する第２の部位の傾斜角を調節するように構成されている。第２の調節部材は第２のベースを調節してスライドレールに対して横方向に（transversely）動かすように構成されている。第２のベースはベース部及び突起部を含む、突起部はベース部に固定される。突起部はスライドレール上の保持物体の取り付け部内に挿入されるように構成されている。
【０００８】
本発明の別の実施形態によれば、調節アセンブリは第１の調節装置、第２の調節装置及びハウジングを含む。第１の調節装置は第１のベースと、第１のベースの高さを調節するために第１のベースを動かすように構成された第１の調節部材とを含む。第２の調節装置は第２のベースと、該第２のベースを調節して第１のベースに対して横方向に動かすように構成された第２の調節部材とを含む。第１の調節装置及び第２の調節装置はハウジングに取り付けられる。第２のベースはベース部及び突起部を含む。突起部はベースに固定される。突起部は第１のベースの長手方向に沿って配置される。
【０００９】
本発明の別の実施形態によれば、スライドレール機構は家具部に適用可能である。スライドレール機構は、第１のレールと、第２のレールと、第１の調節装置とを含む。第２のレールは第１のレールに対して長手方向に動かすことができる。第２のレールは家具部を支持するように構成されるとともに前部及び後部を含む。第１の調節装置は第２のレールの後部に隣接する。第１の調節装置は第１のベース及び第１の調節部材を含む。第１のベースは第１の部位と、第１の部位に接続される第２の部位とを含む。第１の部位は第２のレールに対して固定され、第２の部位は家具部の底部を支持するように構成されている。第１の調節部材は第２のレールに対する第２の部位の傾斜角を調節するように構成されている。
【００１０】
様々な図面に図示する下記の好ましい実施形態の詳細な説明を読み終えた後、本発明の上記の目的及び他の目的が当業者に間違いなく明らかになる。
【図面の簡単な説明】
【００１１】
【図１】図１は、本発明の一実施形態に係るキャビネット及び引き出しを含む家具システムを示す図である。
【図２】図２は、本発明の一実施形態に係る家具システムの引き出し及びスライドレール機構の分解図である。
【図３】図３は、図２の領域Ａの拡大図である。
【図４】図４は、図２の領域Ｂの拡大図である。
【図５】図５は、本発明の一実施形態に係る家具システムの引き出し及びスライドレール機構の設置関係を示す図である。
【図６】図６は、本発明の一実施形態に係る調節アセンブリの分解図である。
【図７】図７は、本発明の一実施形態に係る１つの特定の角度にある調節アセンブリを示す図である。
【図８】図８は、本発明の一実施形態に係る別の角度にある調節アセンブリを示す図である。
【図９】図９は、本発明の一実施形態に係る別の角度にある調節アセンブリを示す図である。
【図１０】図１０は、本発明の一実施形態に係る、第１の調節装置の第１のベースの一部が調節される前にスライドレールに取り付けられた引き出しを示す図である。
【図１１】図１１は、本発明の一実施形態に係る、調節された調節アセンブリの第１の調節装置の第１のベースの高さを示す図である。
【図１２】図１２は、本発明の一実施形態に係る、引き出しの傾斜角を変えるために第１の調節装置の第１のベースの一部が調節された状態のスライドレールに取り付けられた引き出しを示す図である。
【図１３】図１３は、本発明の一実施形態に係る、さらに調節された調節アセンブリの第１の調節装置の第１のベースを示す図である。
【図１４】図１４は、本発明の一実施形態に係る、引き出しの傾斜角をさらに変えるために第１の調節装置の第１のベースの一部が調節された状態のスライドレールに取り付けられた引き出しを示す図である。
【発明を実施するための形態】
【００１２】
図１に示すように、家具システム２０は第１の家具部及び第２の家具部を含む。本実施形態では、家具システム２０はキャビネット２２及び少なくとも１つの引き出し２４を含む。引き出し２４はキャビネット２２に対して引っ込めることができる。
【００１３】
図２に示すように、引き出し２４（図２は引き出し２４の一部のみを示す）は前壁２６（フロントパネル等）、後壁２８、底部及び側壁３２を含む。図３に示すように、引き出し２４の後壁２８は取り付け孔３４等の取り付け部を有する。本発明の一実施形態では、スライドレール機構３６は引き出し２４等の家具部に適用できる。具体的には、スライドレール機構３６は第１のレール３８、第２のレール４０及び（図４に示すように）第１の調節装置４４を含む。
【００１４】
第１のレール３８は延在区画４６を通じて対象物体に固定される。例えば、延在区画４６はネジ留めによってキャビネット２２に固定される。第２のレール４０は第１のレール３８の長手方向に沿って配置され、第１のレール３８に対して長手方向に移動可能である。第２のレール４０は前部４０ａ及び後部４０ｂを含む。スライドレール機構３６は、第１のレール３８に対する第２のレール４０の移動距離を伸ばすために第１のレール３８と第２のレール４０との間で可動に取り付けられる第３のレール４８をさらに含むことが好ましい。
【００１５】
図２及び図４に示すように、第１の調節装置４４は第２のレール４０の前部４０ａと後部４０ｂとの間に位置する。本実施形態では、第１の調節装置４４は第２のレール４０の後部４０ｂに隣接して配置される。スライドレール機構３６は第２の調節装置５０及びハウジング５２をさらに含むことが好ましい。ハウジング５２は第２のレール４０に接続されている。例えば、ハウジング５２は第２のレール４０に接続され、第２のレール４０の後部４０ｂに隣接する。第１の調節装置４４及び第２の調節装置５０はハウジング５２に取り付けられている。第１の調節装置４４、第２の調節装置５０及びハウジング５２は調節アセンブリを形成する。
【００１６】
図５は、引き出し２４とスライドレール機構３６との間の設置関係を示す図である。引き出し２４の底部３０は第２のレール４０によって支持されている。第２のレール４０は第１のレール３８に対して可動であるため、引き出し２４はキャビネット２２に対して引っ込められた状態から開いた状態に動かすことができる。
【００１７】
図６及び図７に示すように、ハウジング５２は第１の調節装置４４及び第２の調節装置５０を取り付けるように構成された複数のパーツを含む。例えば、ハウジング５２は第１の側板５２ａと、第２の側板５２ｂと、第１の側板５２ａ及び第２の側板５２ｂの間に接続される中間板５２ｃと、中間板５２ｃの底部から伸長する底板５２ｄとを含む。ハウジング５２は底板５２ｄに実質的に垂直に接続された間隔板５２ｅをさらに含むことが好ましい。
【００１８】
第１の調節装置４４は第１の調節部材５４及び第１のベース５６を含む。第１の調節部材５４は第１のベース５６を調節するように構成されている。
【００１９】
具体的には、第１のベース５６は第１の部位５８及び第２の部位６０を含む。第２の部位６０は第１の部位５８に接続されている。第１の部位５８及び第２の部位６０は一体形成されていることが好ましい。例えば、第１の部位５８及び第２の部位６０は、長さＬを有する支持板を形成する。支持板の長手方向は第２のレール４０の長手方向（又は長手移動方向）と実質的に同じである。即ち、第１の部位５８及び第２の部位６０は第２のレール４０の長手方向に沿って延在する。第１のべース５６は、第２の部位６０に実質的に垂直に接続された延長壁６２をさらに含むことが好ましい。延長壁６２、第２の部位６０及び第１の部位５８は一体形成されていることが好ましい。第１のベース５６は可撓性であることが好ましい。例えば、第１のベース５６は金属又はプラスチック製である。
【００２０】
第１の調節部材５４は本体部６４、偏心部６６及び操作部６８を含む。本体部６４は実質的に円形である。偏心部６６は本体部６４に配置されている。偏心部６６及び本体部６４の円の中心は異なる（同心円状ではない）。本体部６４は、偏心部６６を第１のベース５６の延長壁６２に取り付けることができるようにハウジング５２の中間板５２ｃの開口７０を貫通できる。そのため、第１の調節部材５４によって第１のベース５６を調節して動かすことができる。
【００２１】
第１のベース５６の延長壁６２は、第１の調節部材５４の偏心部６６に対応する接続孔７２を有することが好ましい。接続孔７２の幅ｗは第１の調節部材５４の偏心部６６の外径よりも僅かに大きい。本実施形態では、接続孔７２は細長い孔であり得る。接続部材７４は接続孔７２を通過することにより第１のベース５６の延長壁６２に配置できることが好ましい。接続部材７４は第１の接続部７４ａと、第１の接続部７４ａに接続された第２の接続部７４ｂとを有する。第１の接続部７４ａの外径は、第１の接続部７４ａが第１のベース５６に取り付けられながらも接続孔７２の外に位置するように接続孔７２の高さｈよりも大きい。第２の接続部７４ｂの外径は、第２の接続部７４ｂが接続孔７２を貫通して第１の調節部材５４の偏心部６６に接続できるように接続孔７２の高さｈよりも小さい。操作部６８は本体部６４に接続されている。
【００２２】
本体部６４がハウジング５２の開口を貫通した後、本体部６４は、取り付け板７６を通じて接続部材７４の第２の接続部７４ｂにさらに接続することができることが好ましい。取り付け板７６は本体部６４よりも僅かに大きく、本体部６４と延長壁６２との間に配置される。
【００２３】
第１の調節部材５４の本体部６４とハウジング５２との間に、少なくとも１つの第１の部分７８と少なくとも１つの第１の部分７８に対応する少なくとも１つの第２の部分８０とが配置されていることが好ましい。本実施形態では、複数の第１の部分７８が本体部６４の周囲に配置され、２つの第２の部分８０がハウジング５２の中間板５２ｃに配置されている。第１の部分７８及び第２の部分８０は凹凸構造の組み合わせであるか又は凸凹構造の組み合わせであり得る。第１の調節部材５４が調節されて回転されると、複数の第１の部分７８のうちの１つは、第１の調節部材５４が回転後にハウジング５２に対して一時的に位置するように第２の部分８０と係合できる。
【００２４】
他方、第２の調節装置５０は第２の調節部材８２及び第２のベース８４を含む。第２の調節部材８２は第２のベース８４を調節して第２のレール４０又は第１のベース５６に対して横方向Ｔに沿って動かすように構成されている。即ち、第２の調節部材８２は第２のベース８４の横方向位置を調節することができる。第２のベース８４は可撓性であることが好ましい。例えば、第２のベース８４は金属又はプラスチック製である。
【００２５】
具体的には、第２のベース８４はベース部８６及び突起部８８を含む。突起部８８はベース部８６に対して固定されている。突起部８８は第１のベース５６の長手方向に沿って配置されている。例えば、突起部８８は（図９に示すように）リベット８９によりベース部８６にリベット留めできるが、本発明は係る構成に限定されない。突起部８８はベース部８６に固定されていることが好ましい。突起部８８は第１の支持区画９０を有し、ベース部８６は、第１の支持区画９０と当接するように構成された第２の支持区画９２を有することが好ましい。突起部８８はベース部８６に対して固定されているため、突起部８８及びベース部８６は１つの構成要素とみなすことができる。第２のベース８４は、ハウジング５２の第１の側板５２ａ、底板５２ｄ及び間隔板５２ｅによって定義される空間内に位置する。ハウジング５２は第１のガイド部９４を含み、第２のベース８４は第１のガイド部９４に取り付けられる第２のガイド部９６を有することが好ましい。第１のガイド部９４及び第２のガイド部９６の一方はリブであり、第１のガイド部９４及び第２のガイド部９６の他方は細長い孔か又は細長い溝であることが好ましい。第１のガイド部９４及び第２のガイド部９６の配置を通じて、第２のベース８４は横方向Ｔに沿って動かすことができる。
【００２６】
第２の調節部材８２は第２のベース８４に接続することができる。第２のベース８４（ベース部８６）及び第２の調節部材８２はそれぞれお互いが対応する第１の調節構造９８及び第２の調節構造１００を有する。
【００２７】
例えば、第１の調節構造９８及び第２の調節構造１００は互いにネジ留めされるネジ構造である。第１の調節構造９８及び第２の調節構造１００の相互作用を通じて、第２の調節部材８２は第２のベース８４を調節して横方向Ｔに沿って動かすことができる。
【００２８】
図７及び図８に示すように、第１の調節部材５４はハウジング５２の中間板５２ｃの後ろ側に配置されている。他方、第２のベース８４の突起部８８は中間板５２ｃの前にあるように延在する。
【００２９】
図９及び図１０に示すように、調節アセンブリは第２のレール４０の後部４０ｂに隣接して配置されている。第１のベース５６の第１の部位５８は第２のレール４０に対して固定されている。例えば、第１の部位５８はリベット又は溶接により第２のレール４０に固定接続されている。
【００３０】
引き出し２４の設置プロセスの間、ユーザーは、第２のベース８４の突起部８８を引き出し２４（又は保持物体）の後壁２８の取り付け孔３４に整合させるために、第２の調節部材８２を用いて第２のベース８４の横方向位置を調節することができる。さらに、引き出し２４が第２のレール４０に取り付けられた場合、第２のベース８４の突起部８８は引き出し２４の後壁２８の取り付け孔３４内に挿入され、第２の部位６０は引き出し２４の底部を支持するように構成されている。
【００３１】
図１１に示すように、ユーザーは、第１のベース５６を調節して高さ方向Ｕに沿って動かすために、第１の調節部材５４を操作してハウジング５２に対して回転方向Ｒに沿って回転させることができる。即ち、第１の調節部材５４を操作して第１のベース５６の高さを調節することができる。
【００３２】
図１２に示すように、ユーザーが引き出し２４の傾斜角を調節する場合、ユーザーは第１の調節部材５４を用いて第２のレール４０に対する第２の部位６０の傾斜角を調節することができる。
【００３３】
具体的には、本実施形態では、第１の部位５８は第２のレール４０に固定接続されているため、第２のレール４０に対する第２の部位６０の傾斜角は、ユーザーが第１の調節部材５４を操作して回転方向Ｒに沿って回転させた場合に調節することができる。例えば、第２のレール４０に対する第２の部位６０の傾斜角は第１の傾斜角度Ａ１に調節できる。即ち、引き出し２４の後壁２８は、引き出し２４の傾斜角が調節されるように斜めに持ち上げられる。引き出し２４の取り付け孔３４の内壁３５は第２のベース８４の突起部８８に近づくように動かされる。
【００３４】
図１３に示すように、ユーザーは、第１のベース５６を調節して高さ方向Ｕに沿ってさらに動かすために、第１の調節部材５４をさらに操作しハウジング５２に対して回転方向Ｒに沿って回転させることができる。
【００３５】
図１４に示すように、ユーザーが引き出し２４の傾斜角をさらに調節する場合、ユーザーは、第２の部位６０の傾斜角が第１の傾斜角Ａ１から第２の傾斜角Ａ２に変わるように第１の調節部材５４を用いて第２の部位６０をさらに調節することができる。
【００３６】
具体的には、本実施形態では、第１の部位５８は第２のレール４０に固定されているため、ユーザーが第１の調節部材５４を操作して回転方向Ｒに沿ってさらに回転させた場合に第２のレール４０に対する第２の部位６０の傾斜角をさらに調節することができる。即ち、引き出し２４の後壁２８は、引き出し２４の傾斜角が調節されるようにさらに斜めに持ち上げられる。引き出し２４の取り付け孔３４の内壁３５は第２のベース８４の突起部８８にさらに近づくように動かされる。
【００３７】
さらに、引き出し２４の取り付け孔３４及び第２のベース８４の突起部８８の寸法許容差は２つの状況をもたらし得る。第１の状況では、引き出し２４の取り付け孔３４の内壁３５は第２のベース８４の突起部８８に接触し得る。第２のベース８４の突起部８８はベース部８６に固定接続されるため、突起部８８は内壁３５によって動かされない。あるいは、第２の状況では、ユーザーによって第１の調節部材５４に加えられる力が大きすぎる場合、内壁３５から突起部８８に加えられる力は突起部８８を変形させて僅かに傾斜させ得る。したがって、突起部８８をベース部８６に固定接続することを通じて、突起部８８の位置は外力によって容易に変更することができないため、構造信頼性が高められる。
【００３８】
本発明のスライドレールのためのスライドレール機構及び調節アセンブリは下記のように特徴付けることができる。
【００３９】
１）スライドレール機構３６は第１の調節装置４４及び／又は第２の調節装置５０を含む。第１の調節装置４４は家具部（引き出し等）の傾斜角を調節するように構成され、第２の調節装置５０は第２のベース８４と、第２のベース８４の突起部８８を家具部の取り付け孔３４に整合させるために第２のベース８４を調節して横方向（水平方向）に動かすように構成された第２の調節装置５０とを含む。
【００４０】
２）突起部８８をベース部８６に固定接続することにより、外力によって突起部８８の位置が容易に変わらず、構造上の信頼性を高めることができる。
【００４１】
３）第１のベース５６の第１の部位５８及び第２の部位６０は一体形成されている。第１の部位５８を第２のレール４０に固定することにより、第２の部位６０は、家具部（引き出し等）の傾斜角を調節するために第２のレール４０に対して傾斜するように調節できる。そのため、構造が簡素化されコストが低減される。
【００４２】
４）第１のガイド部９４及び第２のガイド部９６の配置を通じて、第２のベース８４を横方向又は水平方向に動かすことができる。
【００４３】
当業者であれば、本発明の教示を維持しながら多くの変更及び改良が装置及び方法に加えられ得ることに容易に気付く。従って、上記の開示は、添付の特許請求の範囲によってのみ限定されると解釈すべきである。
【符号の説明】
【００４４】
２０  家具システム
２２  キャビネット
２４  引き出し
２６  前壁
２８  後壁
３０  底部
３２  側壁
３４  取り付け孔
３６  スライドレール機構
３８  第１のレール
４０  第２のレール
４４  第１の調節装置
４６  延在区画
４８  第３のレール
５０  第２の調節装置
５２  ハウジング
５４  第１の調節部材
５６  第１のベース
５８  第１の部位
６０  第２の部位
６２  延長壁
６４  本体部
６６  偏心部
６８  操作部
７０  開口
７２  接続孔
７４  接続部材
７６  取り付け板
【図１】
2019042474.tif 000003
【図２】
2019042474.tif 000004
【図３】
2019042474.tif 000005
【図４】
2019042474.tif 000006
【図５】
2019042474.tif 000007
【図６】
2019042474.tif 000008
【図７】
2019042474.tif 000009
【図８】
2019042474.tif 000010
【図９】
2019042474.tif 000011
【図１０】
2019042474.tif 000012
【図１１】
2019042474.tif 000013
【図１２】
2019042474.tif 000014
【図１３】
2019042474.tif 000015
【図１４】
2019042474.tif 000016